(57)【要約】【課題】  ヒステリシスの望ましくない現象に影響されることなく、高精度および比較的大きな走査距離を可能にする。【解決手段】  距離又は角度を測定する測定装置と、対応する方法が記載される。実施形態として、この装置は、測定方向に沿って変化するように磁化され、この磁化により対応して変化する磁場を引き起こすスケールと、変化する磁場が前記スケールに対する相対的な位置に応じて測定方向に貫通する少なくとも１つの走査ヘッドとを有する。走査ヘッドは、磁気インピーダンス効果により、磁場に依存し、かつ測定方向に沿って変化する局所的で電気的なインピーダンスを有する少なくとも１つの強磁性の薄片と、薄片の局所的で電気的なインピーダンスに依存する少なくとも２つの位相シフトされたセンサ信号を生成するように構成された少なくとも１つのセンサユニットと、を有する。【選択図】図３
2020537152.tif 000002
【特許請求の範囲】
【請求項１】
距離又は角度を測定する測定装置であって、
測定方向（ｘ）に沿って変化するように磁化され、この磁化により対応して変化する磁場（Ｂ）を引き起こすスケール（１）と、
変化する前記磁場（Ｂ）が前記スケール（１）に対する相対的な位置に応じて前記測定方向（ｘ）に貫通する少なくとも１つの走査ヘッド（２）と、
を有し、前記走査ヘッド（２）は、
磁気インピーダンス効果により、前記磁場（Ｂ）に依存し、かつ前記測定方向（ｘ）に沿って変化する局所的で電気的なインピーダンスを有する少なくとも１つの強磁性の薄片（６）と、
前記薄片（６）の局所的で電気的な前記インピーダンスに依存する少なくとも２つの位相シフトされたセンサ信号（ＵＳ、ＵＣ）を生成するように構成された少なくとも１つのセンサユニット（３）と、
を有する。
【請求項２】
請求項１に記載の測定装置であって、
一定の振幅と一定の周波数の交流電流（i）を供給するように構成された信号源であって、前記交流電流（i）が、前記測定方向（ｘ）に沿って離間して配置された少なくとも２つの薄片（６）に供給される信号源をさらに有し、
前記少なくとも２つの薄片（６）は、それ自体が前記センサユニット（３）のセンサ素子として構成されており、
前記走査ヘッド（２）に対する前記スケール（１）の位置に依存して前記測定方向（ｘ）に沿って変化する前記磁場（Ｂ）が、前記少なくとも２つの薄片（６）の前記インピーダンスに影響を与え、前記インピーダンスは、測定情報（ＵＳ＋、ＵＳ−、ＵＣ＋、ＵＣ−）として評価される。
【請求項３】
請求項１又は請求項２に記載の測定装置であって、
前記磁場（Ｂ）により局所的に変化する、強磁性の前記薄片（６）内の局所的な電流強度が、平面コイル（１０）によって検出される。
【請求項４】
請求項１に記載の測定装置であって、前記測定装置は、
一定の振幅と一定の周波数の交流電流（ｉ）を供給するように構成された信号源を有し、
前記センサユニット（３）は、前記信号源に接続され、少なくとも１つの平面受信コイル（１０）に変圧的に結合された少なくとも１つの送信コイル（１１）を有し、
少なくとも１つの前記薄片（６）が鉄心として機能し、前記送信コイル（１１）は、前記鉄心の中で、少なくとも１つの前記薄片（６）の局所的な前記インピーダンスに依存する渦電流を誘導する。
【請求項５】
請求項１乃至請求項４の何れか一項に記載の測定装置であって、
ここで、センサ信号（ＵＳ及びＵＣ）の各々の生成は、それぞれ、２つの測定情報（ＵＳ＋，ＵＳ−；ＵＣ＋，ＵＣ−）間の差をとることによって実行され、
前記２つの測定情報（ＵＳ＋，ＵＳ−；ＵＣ＋，ＵＣ−）は、それぞれ、前記測定方向（ｘ）に沿って間隔を置いてセンサユニット（３）内に配置された、少なくとも１組の個別のセンサ素子（Ｓ＋，Ｓ−;Ｃ＋，Ｃ−）によって生成される。
【請求項６】
請求項１乃至請求項５の何れか一項に記載の測定装置であって、
前記スケール（１）は、２倍の周期（２・λ）の規則的な分割を有し、
前記センサユニット（３）は、第１のグループの少なくとも２つのセンサ素子と、第２のグループの少なくとも２つのセンサ素子とを含み、
前記第１のグループの前記センサ素子は、前記周期の半分の奇数倍にほぼ対応する距離（（２ｎ＋１）・λ／２）だけ互いにずれて配置されており、
前記第２のグループの前記センサ素子は、前記第１のグループの前記センサ素子に対して、前記周期の半分の倍数に前記周期の４分の１を加えた長さに対応する距離（ｎ・λ＋λ／４）だけずれて配置されている。
【請求項７】
請求項１乃至請求項６の何れか一項に記載の測定装置であって、
前記スケール（１）は、互いに隣接して配置された複数の磁気トラックを有する。
【請求項８】
請求項１乃至請求項７の何れか一項に記載の測定装置であって、
前記スケールは、前記走査ヘッド（２）に対する前記スケールの位置を一意に定義する絶対コーディングを有する。
【請求項９】
請求項１乃至請求項８の何れか一項記載の測定装置であって、
前記スケールは円筒形状を有し、前記スケールの分割は角分割である。
【請求項１０】
請求項１乃至請求項８の何れか一項に記載の測定装置であって、
強磁性の前記薄片は、線形、非線形、及び磁気飽和の状態の範囲で機能する。
【請求項１１】
スケール（１）と前記スケール（１）から離間した走査ヘッド（２）との間の相対位置を測定する方法であって、
測定方向に沿って変化するように磁化されたスケール（１）によって、前記測定方向（ｘ）に沿って変化する磁場（Ｂ）を生成するステップと、
センサユニット（３）に配置された少なくとも１つの薄片（６）の局所的で電気的なインピーダンスに影響を与えるステップであって、局所的で電気的な前記インピーダンスは、磁気インピーダンス効果による局所的な磁場に依存し、したがって、前記センサユニット（２）に対する前記スケール（１）の位置に依存し、少なくとも２つの位相シフトされた測定信号が生成されるステップと、
前記少なくとも１つの薄片（６）の、ある領域における局所的で電気的な前記インピーダンスを表す信号をセンサ素子により検出するステップと、
を有する。
【請求項１２】
請求項１１に記載の方法であって、
前記少なくとも１つの薄片（６）に高周波交流電流を供給するステップであって、前記測定方向（ｘ）に沿った電流分布が前記少なくとも１つの薄片（６）の局所的で電気的な前記インピーダンスに依存しているスッテプと、
前記センサ素子によって検出された信号の評価、特に復調を行うステップと、
をさらに有する。
【請求項１３】
請求項１２に記載の方法であって、
前記信号を前記センサ素子により検知する前記ステップは、
前記少なくとも１つの薄片（６）に局所的な前記インピーダンスに依存する電圧をかけるステップ、又は
前記少なくとも１つの薄片（６）に局所的に流れる交流電流によって引き起こされる磁場の強さを表すセンサ信号を、平面コイル、又は、磁場に感度を有する半導体素子、又は薄膜センサ素子によって検出するステップ、
を有する。
【請求項１４】
請求項１３に記載の方法であって、
前記少なくとも１つの薄片（６）の局所的で電気的な前記インピーダンスは、少なくとも１つの送信コイル（１１）によって誘導される渦電流に影響を与え、
平面受信コイル（１０）が、センサ素子として使用され、前記平面受信コイル（１０）は、前記送信コイル（１１）に変圧的に結合され、強磁性の前記少なくとも１つの薄片（６）は、鉄心として機能する。
【発明の詳細な説明】
【技術分野】
【０００１】
ここに記載された実施形態は、「ジャイアント磁気インピーダンス」-ＧＭＩ-の物理的効果に基づく位置検出のための新しいタイプの電磁測定装置に関するものである。
【背景技術】
【０００２】
距離や角度を検出するための測定装置はよく知られており、異なる物理的原理に基づいて動作する。以下に、これらの測定システムの主な特徴の比較的な対照が行われる。
【０００３】
光電子測定システムは測定期間（エンコーダの分割周期）が非常に短いため、非常に正確である、機械的負荷（衝撃、振動）および汚染に対して非常に敏感である。
【０００４】
磁気測定システムは、測定期間が長く、環境の影響に強く、走査距離（走査ヘッドとスケール間のエアギャップ）が大きいが、磁気センサの走査面積が小さいことと、周期ごとの磁力の不均一性で単周期走査であることにより補間誤差が比較的大きく、反転誤差（ヒステリシス、動きの方向を変える際の信号のジャンプ）が大きいため、精度が低くい。
【０００５】
誘導性測定システムは、磁気測定システムと同様の測定周期を持ち、精度が高く、ヒステリシスがない。走査距離は磁気測定システムと比較して非常に小さいため、それぞれの使用が制限される。
【０００６】
物理的な磁気インピーダンス効果はそれ自体が知られており、様々なタイプのセンサに使用されている。磁気インピーダンス効果により、強磁性または軟磁性の箔（ワイヤ）に高周波電流が流れると、外部の電磁界に応じてインピーダンスが変化する。この動作は、次のように、既知の表皮効果を用いて説明できる。
【数１】
2020537152.tif 000003
ここで、δは表皮深さ、fは動作周波数、μは透磁率、σは導電率を、それぞれ示している。
【０００７】
材料を流れる電流の表皮深さδは、特定の材料に対して、これらの電流の周波数及び／又は材料の透磁率によって変化し得る。図１はこれらの依存関係を象徴的に示す図であり、Ｂは磁気誘導（磁束密度）、Ｈは磁場強度、Ｚはインピーダンスを示している。
【０００８】
外側の磁場は金属箔の透磁率を１０Ｎ（Ｎ＞２）のファクタで変化させることができる。これは、磁気インピーダンス効果が非常に高いインピーダンス/リラクタンスの変化（ΔＸ／Ｘ０）×１００％を有することを意味する。
【０００９】
２つの異なる領域において磁場強度Ｈ１およびＨ２の２つの電磁場の影響下にある材料の表皮深さδを比較すると、それぞれの侵入度の比率δ１／δ２が以下のように得られる。
【数２】
2020537152.tif 000004
【００１０】
インピーダンスＺは基本的に表皮深さδに反比例するため、インピーダンスの比Ｚ２／Ｚ１は次のようになる。
【数３】
2020537152.tif 000005
【００１１】
この高い感度は、磁気インピーダンス効果を特徴付け、その使用において高い信号コントラストをもたらし、さらに非常に優れた効率をもたらす。
【００１２】
以下では、ＧＭＩ効果を利用した測定装置の例について説明する。特許公報ＵＳ７７９１３３１−Ｂ２（特許文献１）では、強磁性合金と可動単一磁石で作られた２つの曲がりくねった巻線を持つ長さ測定装置が知られている。高周波電流が流れるこれらの巻線の三角形の形状により、磁石の相対的な位置に応じて、インピーダンスが変化する。この装置は、位置分解能や達成可能な精度と比較して、測定範囲が制限されている。
【００１３】
角度エンコーダは、特許公報ＤＥ１９９５３１９０−Ｃ２（特許文献２）により知られている。これは、強磁性合金で作られた平面形状の星型導体と、その軸を中心に星型導体と相対的に回転可能な永久磁石とで構成されている。このタイプのエンコーダは、回転方向を検出できず（回転速度のみ検出可能）、１回転あたりのパルス数（分解能）が非常に少ない。
【００１４】
磁気的にコード化されたテープを読み取るためのＧＭＩ効果に基づく手動操作の読み取りヘッドは、特許公報ＡＴ４０６７１５−Ｂ（特許文献３）で知られている。この装置は、テープから磁気パターンを読み取ることができるだけで、長さを決定するようには構成されていない。
【００１５】
市場でＡＭＯＳＩＮ（登録商標）の名称で知られ、特許公報ＥＰ１１６４３５８−Ｂｌ（特許文献４）に記載されている誘導長さおよび角度の測定システムは、マイクロメートル範囲でより高い精度と分解能を実現し、ヒステリシスもない。しかしながら、この装置は、スケールと走査ヘッドとの間の走査距離が、同じ長さの分割周期を有する場合に、ここで紹介された測定装置よりも約２倍小さいという欠点を有する。さらに、ここで新しく紹介する測定装置のセンサは非常にシンプルで、感度がはるかに高く、信号の振幅も大きい。
【先行技術文献】
【特許文献】
【００１６】
【特許文献１】ＵＳ７７９１３３１−Ｂ２
【特許文献２】ＤＥ１９９５３１９０−Ｃ２
【特許文献３】ＡＴ４０６７１５−Ｂ
【特許文献４】ＥＰ１１６４３５８−Ｂｌ
【発明の概要】
【発明が解決しようとする課題】
【００１７】
発明者らは、磁気インピーダンス効果を利用し、ヒステリシスの望ましくない現象に影響されることなく、高精度および比較的大きな走査距離を可能にする長さまたは角度の測定デバイスを提供する課題を自ら設定した。さらに、柔軟性のあるセンサキャリアと同様に、センサシステムの製造コストが低いことが望ましい。また、良好な信号平均化と高い位置精度を実現するために、磁気スケールの数周期にわたって大きなスキャン領域を確保することも望まれる。
【課題を解決するための手段】
【００１８】
この目的は、請求項１に記載の測定装置および請求項１０に記載の方法によって達成される。様々な例示的な実施形態およびさらなる展開は、従属請求項の対象である。
【発明の効果】
【００１９】
磁気インピーダンス効果を利用し、ヒステリシスの望ましくない現象に影響されることなく、高精度および比較的大きな走査距離を可能にする。
【図面の簡単な説明】
【００２０】
【図１】Ｂ／Ｈ図である。
【図２】ここで説明した実施形態の主要な構成要素を示す図である。
【図３】距離または角度を測定するための測定システムの第１の実施形態を示す図である。
【図４】信号評価用の電子回路の一例を示す図である。
【図５】距離または角度を測定するための測定システムの第２の実施形態を示す図である。
【図６】距離または角度を測定するための測定システムの第３の実施形態を示す図である。
【図７】測定システムの、角度測定に適した第４の実施形態を示す図である。
【図８】絶対位置の測定をするための測定システムの磁気スケールの一例を示す図である。
【発明を実施するための形態】
【００２１】
様々な例示的な実施形態が、以下により図面を用いて詳細に説明される。図は必ずしも縮尺通りではなく、本発明は示された態様に限定されない。むしろ、根本的な原則を提示することに重点が置かれている。
【００２２】
ここで記載する例示的な実施形態（図２を参照）は、同じまたは異なる極長さのＮ極とＳ極を交互に有する硬磁気分割を備えた磁気スケール１と、平面センサユニット３および評価電子回路４を有する走査ヘッド２とを含む。センサユニット３は、強磁性の薄片６を含む（図３、図５および図６を参照）。
【００２３】
測定デバイスのこれらの２つの主要コンポーネント（スケール１と走査ヘッド２）は、エアギャップ「ｄ」の間隔を有するように相互に配置され、互いに対して直線的または回転的に移動できる２つの機械要素に機械的に結合され、それらの相対位置又は絶対位置（線形位置又は角度位置）が検知される。
【００２４】
スケールの分割は、スケールによって発生した磁場により、より高い透磁率とより低い透磁率の対応する領域、およびその結果としてより高いインピーダンスとより低いインピーダンスの対応する領域を、走査ヘッド２内に配置された強磁性の薄片内に生成する。この位置に依存するインピーダンス変動は、1つまたは複数のセンサ素子によって検出され、センサ素子によって生成されたセンサ信号の電子処理後、評価電子回路で位置情報として出力される。他のセンサ（ＡＭＲ、ＧＭＲなど）と比較して、ここで説明する測定配置は、強磁性の薄片またはその局所領域が磁気的に飽和している場合でも、有効な位置情報を提供できる。これは、薄片が磁気的に線形、磁気的に非線形の範囲、または磁気飽和の状態で動作しているかに関係なく、強磁性薄片の機能が保持されることを意味する。
【００２５】
図２は、ＧＭＩ効果を使用して位置（距離または角度）を測定するのに適した測定システムの例示的な実施形態を示す。示されている測定システムは、薄いストライプ状のスケール１を備え、これは、硬磁性層を磁化することにより極性が交互に替わっており（Ｎ、Ｓ）、これは、単純化のために以下では定期的であるように示している（必ずしもそうである必要はない）。スケールは本質的に交互の極性を有する永久磁石である。永久磁石によって生成される磁場は、位置に依存し、例えば、スケール１の部分に伴って周期的に変化する。測定システムはさらに、薄く柔軟な基板上に構成された磁気インピーダンスセンサ（さらにセンサユニット３とも呼ばれる）を備えた走査ヘッド２と、センサユニット３のセンサ信号を処理して（測定方向「ｘ」においてスケール１に対して）走査ヘッドの相対位置信号に変換するように構成された評価電子回路４とを備えている。走査は、スケール１と走査ヘッド２と間の距離「ｄ」（エアギャップ）を保持して非接触で行われる。
【００２６】
図２の例による測定装置の機能は、図３の図を用いてより詳細に説明される。図３に示す例示的な実施形態によれば、センサユニット３は、可撓性の非磁性基板５を有し、この上に、強磁性材料で作られた幾つかの薄片６（図示の例では４つ）が特定の配置で配置され、互いに電気的に分離されて取り付けられている。薄片６は、以下ではセンサ素子とも呼ばれる。
【００２７】
示されている例では、強磁性の薄片６（センサ素子）は、２つのペアのセンサ素子の間に約λ／２の距離があり、２・λがスケール１の（磁気）分割周期である。センサ素子の長さは、測定方向を横切るスケール1の磁気幅にほぼ対応している。Ｓ＋およびＳ-と符号が付され第１のペアの薄片６は、サインチャネルに割り当てられ、Ｃ＋およびＣ-と符号が付された第２のペアの薄片６は、コサインチャネルに割り当てられている。薄片の２つのペア（Ｓ＋、Ｓ−およびＣ＋、Ｃ−）は、およそｎ・λ＋λ／４の距離ずれて基板５上に配置され、ここでｎは整数である。
【００２８】
特別な実施形態では、複数の第１の薄片ペアをサインチャンネルに割り当て、複数の第２の薄片ペアをコサインチャンネルに割り当てることもできる。サインチャネル（またはコサインチャネル）に割り当てられた２つの薄片ペアはｎ・λの距離ずれて配置されているが、前述のように、異なるチャネルに割り当てられた２つの薄片ペアは約ｎ・λ＋λ／４の距離ずれた位置に配置される。
【００２９】
薄片６の厚さは、測定システムがどのように設計されているかに応じて、また材料特性、動作周波数、分割周期などに応じて、約５μｍから３０μｍの間の範囲の値であり得る。
【００３０】
簡単にするために、最小数のセンサ素子のみが図３に示されている。既に述べたように、幾つかのセンサ素子ペアが、測定方向「ｘ」に沿って、互いにｎ・λの距離で繰り返し配置され、センサ素子６のセンサ信号が２つの測定チャネル（サイン及びコサイン）のそれぞれについて合計されることは、センサにおける技術的に引き起こされる（例えば、幾何学的な）誤差の信号取得および平均化のために有利で有り得る。
【００３１】
図４の例によれば、走査ヘッド３に配置された評価電子回路４は、一定の振幅の（１ＭＨｚから約１００ＭＨｚの範囲の）高周波キャリア電流を生成するように構成された信号発生器４１を有する。（Ｓ＋、Ｓ−、Ｃ＋、Ｃ−と示されている）４つのセンサ素子６のそれぞれは、信号発生器に電気的に接続されているので、キャリア電流ｉはそれらを通って流れる。ここに示す例では、センサ素子６が直列に接続されているため、同じキャリア電流ｉがセンサ素子６を流れる。
【００３２】
センサユニット２に配置されたセンサ素子６（薄片）には、スケール１が発生する磁界（磁束密度Ｂ）が侵入する。前述のように、磁場は測定方向（ｘ方向）に沿ったスケールの分割に従って変化し、その結果、センサ素子６の局所的な磁場の強さ／磁束密度は、センサユニット２とスケール１の相対位置に依存する。センサユニットに対してスケールが移動すると、それに応じて磁場が移動する。
【００３３】
既に説明したように、磁気インピーダンス効果（ＧＭＩ効果）では、磁束密度Ｂの大きさに応じて、センサ素子／薄片６の各々において、相対的な透磁率が変化し、その結果、高周波励磁電流の電流浸透深さ（表皮効果）も変化し、その結果、センサ素子／薄片６のインピーダンスも変化する。評価電子回路４を用いて４つのセンサ素子／薄片６のインピーダンスを測定すると、これらのインピーダンスが走査ヘッド２のスケール１に対する相対的な位置に依存していることが反映される。前述したように、センサ素子／薄片６に一定の電流ｉを供給することができ、その結果得られる電圧ＵＳ＋,ＵＳ−およびＵＣ＋，ＵＣ−（センサ素子６での電圧降下）を評価することができる。
【００３４】
干渉に対する高い耐性性を実現し、不要な信号のオフセットやノイズを抑制するために、センサ素子６の信号（例えば電圧ＵＳ＋,ＵＳ−,ＵＣ＋，ＵＣ−）は、電圧差ＵＳ＋ - ＵＳ−を形成してサイン信号（ＵＳ）を決定し、電圧差ＵＣ＋- ＵＣ−を形成してコサイン信号（ＵＣ）を決定するように（例えば差動増幅器４２、４３を用いて）差動的に取得することが可能である。差信号ＵＳおよびＵＣ（サインおよびコサイン信号）は、高周波キャリア電流ｉと同じ周波数である。信号ＵＳおよびＵＣは、図４からの例では、復調される（復調器４４）。復調の結果、走査ヘッド２に対するスケール１の一様な動きに伴って、そのレベルがほぼサイン波状またはコサイン波状に変化する直流電圧が得られる。簡単のために、図３、図４に示す例、及び、以下の例では、高周波搬送波の復調器４４の後に、約９０°位相をずらした２つの信号ｓｉｎ αおよびｃｏｓ αで表現されている。
【００３５】
センサ信号を増幅して変換し、位置表示または駆動制御のための後続の電子回路の走査ヘッド２の出力において既知の標準化されたインターフェースで利用可能にする電子回路の構成は、それ自体は既知であり、したがって、これ以上は説明しない。２つの位相シフトされたサイン波信号を生成することによって、１周期内で、明確な移動の方向および電気的角度を一意に決定することが重要である。
【００３６】
既に述べたように、センサユニット３内の４つの強磁性の薄片（センサ素子６）は、磁気スケール１に対して相対的に移動可能である。これらのセンサ素子６には、評価用電子回路４の電流源４１によって生成された、周波数および振幅が一定の電流（キャリア電流ｉ）が流れる。４つのセンサ素子６のそれぞれにおける電圧降下（図４参照、電圧ＵＳ＋、ＵＳ-およびＵＣ＋、ＵＣ-）は、それぞれの薄片のインピーダンスの程度とみなすことができる。これらの電圧ＵＳ＋、ＵＳ-およびＵＣ＋、ＵＣ-は、以下のパラメータを有する差動増幅器４２によって供給される。
I0 … 一定の電流振幅
i … キャリア電流
ω= 2πｆ、ｆ … 一定の周波数
ｘ … センサユニット３に対するスケール１の相対位置
λ … 磁気分割周期の半分
ｋ … 自然数
ＵＳ＋、ＵＳ-、ＵＣ＋、ＵＣ- … 部分電圧
Ｕｋ … 一定の伝送電圧
ＵＯＳ、ＵＯＣ … 一定のオフセット電圧
α＝（2π/λ）ｘ … 電気的角度
なお、ｉ＝I0ｓｉｎωｔ  である。
この場合、以下の式が得られる。
【数４】
2020537152.tif 000006
同様に、以下の式も得られる。
【数５】
2020537152.tif 000007
２つの測定チャネル（サインチャネルとコサインチャネル）のそれぞれについての差分形成後（オペアンプ４３）は、以下のとおりの数式が得られる。
【数６】
2020537152.tif 000008
【００３７】
これらの２つの「クワドラチャー」電圧の助けを借りて、復調器４４、アナログ／デジタル変換器４５、およびさらなるデジタル処理を用いて、電気的角度および移動方向を既知の方法で決定し、位置情報「ｘ」として出力することができる。
【００３８】
誘導性測定システムとは対照的に、インピーダンスの変化が磁束密度Ｂの大きさにのみ依存し、その方向ベクトルには依存しないという事実に基づいて、センサ信号期間λが、スケールの分割周期（２λ）の半分であることが確認される。これは、測定システムの構成において大きな利点となり、より高い精度と分解能を可能にする。
【００３９】
さらに、ここに記載された実施形態における磁気インピーダンス効果の高効率は、より高いサイン波およびコサイン波信号振幅につながり、その結果、比較的大きなエアギャップｄを実現でき、そのため、ここに記載された実施形態は、既知の測定システムよりもより多様な用途に使用できる。
【００４０】
図５は、測定装置の第２の実施形態を示しており、この例では、センサユニット３は以下のように実現されている。すなわち、強磁性の薄片６は、その中を高周波キャリア電流（励起電流）ｉが横方向（測定方向ｘを横切る方向）に流れるように信号源４１（図４参照）に接続されている（ｉ＝Ｉ０・ｓｉｎ（ωｔ））。薄片６は、約λ／２の幅を有する少なくとも２つの切り欠き部８を有しており、これらは、互いに約ｎ・λ＋λ／４の距離ずれた位置に配置されている。薄片６内の局所的な電流密度は、既に説明した磁気インピーダンス効果に依存する。スケール１によって生成される磁束密度Ｂに応じて、インピーダンスの異なる局所領域が薄片６に発生し、したがって、薄片６の局所電流密度は、本質的に局所的な磁束密度Ｂを反映し、それによりスケール１の分割を反映する。この「電流形成」は、薄片６に平行に配置された平面状の受信コイル１０によって差動的に検出され、それによって、図３および図４に示された構成例と同様の方法で、２つの位相シフトされた信号ＵＳおよびＵＣが得られる。
【００４１】
この実施形態では、システムの寸法がこれを可能にする場合には、薄片の切り欠き部８を省略することも可能である。受信コイル１０は、多層プリント基板として実現することができる。一般的に知られている方法で、受信コイル１０によって検出される磁場は、例えば、ホールセンサなどの半導体センサや、たとえば、磁気抵抗器（ＭＲ）、巨大磁気抵抗器（ＧＭＲ）、異方性磁気抵抗器（ＡＭＲ）などの磁気薄膜センサなどの他のタイプのセンサによっても検出できる。
【００４２】
図６は、測定装置の第３の実施形態を示している。この場合、高周波キャリア電流ｉは、従来例のように強磁性の薄片６に直接供給されるのではなく、送信コイル１１に供給される。送信コイル１１は、受信コイル１０と共に平面コイル構造９を構成する。
【００４３】
送信コイル１１は、既知の方法で強磁性の薄片６に渦電流を誘導する。これらの渦電流の強さおよび空間的な（測定方向「ｘ」に沿った）位置は、薄片６の特定の領域における可変磁気インピーダンスに依存しており、スケール１によって発生する磁場の局所的な磁束密度Ｂに反比例する。受信コイル１０は、図５に示す先の実施形態と本質的に同じ機能を有し、直接対向する薄片６の領域の局所的に変化する渦電流を差動的に検出する。この実施形態によれば、強磁性の薄片を受動素子として実現することができ、コイルシステムをフレキシブル多層プリント回路として実装することができ、これにより、評価用電子回路に容易に接続することができるという利点がある。
【００４４】
既に述べたように、センサ表面がスケールの複数の期間を検知することは、位置測定装置にとって有利である。ここで説明したフレキシブルな薄片を有するセンサユニット３を用いた例では、一定のエアギャップｄを有する角度測定用の測定装置を実現することも可能である。この実装例を図７に示す。機能は、基本的には既に説明したリニア測定の配置と同じで、スケール１は測定ドラム（エンコーダホイール、多極ホイール）として構成されており、走査ヘッド２に対して相対的に回転することができる。
【００４５】
走査ヘッド２またはセンサユニット３の表面は、エンコーダホイールの外径に任意的に適合させることができる。これは、平坦で剛性の高いセンサ素子を有する他の測定装置では容易には実現できない。
【００４６】
一般に、長さ・角度の測定システムは、その動作の仕方によって、インクリメンタル測定システムとアブソリュート測定システムに分類することができる。インクリメンタル測定システムは、単に周期的に構成されたスケール１を有し、位置情報は、電気的な「リセット」の後、測定パルスのアップカウントまたはダウンカウントとして出力することができる。これとは対照的に、アブソリュート測定システムの場合は、走査ヘッド２に対するスケール１の絶対位置は、測定中いつでも、先行する信号経過とは無関係に利用可能である。
【００４７】
インクリメンタル測定システムの場合、１つ以上の「基準パルス」を得るために主周期測定トラックと平行なスケール１上の追加の第２のトラックが、提供されてもよい。説明したすべての例示的な実施形態において、この「基準トラック」は、任意のＮ極とＳ極の対のシーケンスとして実装することができる。センサユニット内に配置されるセンサは、上述した構成のセンサ素子と同様の技術で実現でき、Ｎ極とＳ極の対が検出されたときに対応する基準信号を検出して出力することができる。
【００４８】
さらに、ここで説明される測定システムの例示的な実施形態のそれぞれに対して、（横方向または角度の）絶対位置を検出する装置を実装することもできる（図８を参照）。
【００４９】
絶対位置測定の場合は、絶対位置が一意に定義され、様々な原理で実現することができる符号化が実行される。図８は、一例として、いわゆる「ランダムコード」のアブソリュートトラックの実施形態を示しており、スケール１は、長さが等しいか、または異なる長さのＮ極とＳ極の列を有し、測定範囲全体で、長さ「Ｌ」の特定の組み合わせ（コード）が一度だけ発生する。このようなアブソリュートトラックは、ここで説明されている例示的な実施形態のいずれかによって検出することができる。一様に配置されたセンサ表面は、差動的に動作をする個々のセンサ素子で構成され、信号処理の後、個々の点の絶対位置を定義する特定のコード、例えば「１１０１０１」を提供する。
【００５０】
より高い位置分解能を達成するために、アブソリュートトラックは、もちろん、スケール上の高分解能のインクリメンタルトラックと並行して取り付けられ、公知の方法で組み合わせて評価され得る。
【００５１】
以下に、ここで説明した実施形態のいくつかの側面を要約する。なお、以下の列挙は包括的なものではなく、あくまでも例示的なものである。
【００５２】
例１：距離又は角度を測定する測定装置であって、
測定方向ｘに沿って変化するように磁化され、この磁化により対応して変化する磁場Ｂを引き起こすスケール１と、
前記磁場Ｂが貫通する少なくとも１つのセンサユニット２と、
を有し、前記センサユニット２は、
磁気インピーダンス効果により、磁場Ｂに依存し、かつ前記測定方向ｘに沿って変化する局所的な電気的インピーダンスを有する、少なくとも１つの強磁性の薄片６と、
前記薄片６の領域で前記局所的な電気的インピーダンスに依存するセンサ信号（例えば、ＵＳ＋、ＵＳ−、ＵＣ＋、ＵＣ−）を生成するように構成された少なくとも１つのセンサ素子（例えば、図３、５、６、符号６、７、１０参照）と、
を有する。
【００５３】
例２：例１に記載の測定装置であって、前記測定装置は、
交流電流（ｉ）を供給するように構成された信号源を有し、
前記少なくとも１つの強磁性の薄片６が前記信号源に接続されており、前記少なくとも１つの強磁性の薄片６には、測定方向ｘを横切る交流電流ｉが流れ、動作時に一定の周波数と一定の振幅を有しており、
前記測定方向ｘに沿って変化する局所電気インピーダンスにより、少なくとも１つの強磁性の薄片６における結果として生じる電流密度（交流ｉの分布）は異なる。
【００５４】
例３：例１に記載の測定装置であって、前記測定装置は、少なくとも１つの薄片（６）に供給される交流（ｉ）を生成するように構成された信号源（４１）（図４参照）をさらに有し、
前記少なくとも１つの薄片（６）は、前記測定方向（ｘ）に沿って互いに並んで配置された少なくとも２つの薄片を含み、
前記少なくとも１つのセンサ素子（図３、符号６参照）は、少なくとも２つのセンサ素子（Ｓ＋、Ｓ−、Ｃ＋、Ｃ−）を含み、前記少なくとも２つのセンサ素子（Ｓ＋、Ｓ−、Ｃ＋、Ｃ−）は、前記薄片自体によって形成され、前記薄片には、センサ信号（ＵＳ＋、ＵＳ−、ＵＣ＋、ＵＣ−）として、前記測定方向ｘを横切る方向に電圧が掛けられる。
【００５５】
例４：例１に記載の測定装置であって、前記測定装置は、少なくとも１つの薄片６に供給される交流ｉを生成するように構成された信号源４１（図４参照）も有し、
前記少なくとも１つのセンサ素子は、磁場に感度を有する半導体センサ素子または磁場に感度を有する薄膜センサ素子であり、センサ信号として、少なくとも１つの薄片を流れる交流電流によって引き起こされる磁場強度を表す信号を生成する。
【００５６】
例５：例１乃至例４の何れか１つに記載の測定装置であって、
前記少なくとも１つのセンサ素子が平面コイル（図５、コイル１０参照）を有する。
【００５７】
例６：例１乃至例５の何れか１つによる測定装置であって、
前記少なくとも１つのセンサ素子は、前記測定方向に沿って互いに並んで配置された第１のセンサ素子Ｓ＋および第２のセンサ素子Ｓ−を含み、
前記第１のセンサ素子Ｓ＋および前記第２のセンサ素子Ｓ−のセンサ信号ＵＳ＋、ＵＳ−は、差信号を形成するように結び付けられる（図３乃至図６を参照）。
【００５８】
例７：例１に記載の測定装置であって、
前記少なくとも１つのセンサ素子は、少なくとも１つの平面コイル１０を有し、前記センサユニット３は、さらに、少なくとも１つの送信コイル１１を有し、前記少なくとも１つの送信コイル１１は、前記信号源４１に接続され、少前記なくとも１つの平面コイル１０に変圧的に結合され（図６参照）、
前記少なくとも１つの薄片６が、前記少なくとも１つの６の局所インピーダンスに依存する渦電流を誘導する鉄心として機能する。
【００５９】
例８：例１乃至例７の何れか１つに記載の測定装置であって、
前記スケール１は、規則的な分割２・λを有し、
前記少なくとも１つのセンサ素子は、第１のグループの少なくとも２つのセンサ素子と、第２のグループの少なくとも２つのセンサ素子とを含み、
前記第１のグループの前記センサ素子は、前記分割の半分の倍数に対応する距離λだけずれて配置されており、
前記第２のグループの前記センサ素子は、前記第１のグループの前記センサ素子に対して、前記周期の半分の倍数に前記分割の４分の１を加えた長さに対応する距離（すなたち、ｎ・λ＋λ／４）だけずれて配置されている。
【００６０】
例９：例１乃至例８の何れか１つに記載の測定装置であって、
前記スケール１は、互いに隣接して配置された複数のトラックを有する。
【００６１】
例１０：例１乃至例９の何れか１つに記載の測定装置であって、前記スケールは、前記センサ素子２に対する前記スケールの位置を一意に定義する絶対コーディングを有する。
【００６２】
例１１：例１乃至例１０の何れか一項記載の測定装置であって、
前記スケールは円筒形状を有し、前記スケールの分割は角分割である。
【００６３】
例１２：スケール１と前記スケール１から離間したセンサユニット２との間の相対位置を測定する方法であって、
測定方向に沿って変化するように磁化されたスケール１によって、前記測定方向ｘに沿って変化する磁場Ｂを生成するステップと、
センサユニット２に配置された少なくとも１つの薄片６の局所的で電気的なインピーダンスに影響を与えるステップであって、局所的で電気的な前記インピーダンスは、磁気インピーダンス効果による局所磁場に依存し、したがって、前記センサユニット２に対する前記スケール１の位置に依存するステップと、
なくとも１つの薄片６のある領域における局所的で電気的な前記インピーダンスを表す信号をセンサ素子により検出するステップと、
を有する。
【００６４】
例１３：例１１に記載の方法であって、
少なくとも１つの薄片６に高周波交流電流を供給するステップであって、前記測定方向ｘに沿った電流分布が前記少なくとも１つの薄片６の局所的で電気的な前記インピーダンスに依存しているスッテプと、
前記センサ素子によって検出された信号の復調を行うステップと、
を有する。
【００６５】
例１４：例１２に記載の方法であって、
局所的で電気的な前記インピーダンスを表す前記信号を前記センサ素子により検知する前記ステップは、
少なくとも１つの薄片６に、局所的で電気的なインピーダンスに依存する電圧を掛けるステップ、又は
少なくとも１つの薄片６に局所的に流れる交流電流によって引き起こされる磁場の強さを表すセンサ信号を、平面コイルまたは磁場に感度を有する半導体素子または薄膜センサ素子によって検出するステップ、
を有する。
【００６６】
例１５：例１３に記載の方法であって、
前記少なくとも１つの薄片（６）の局所的で電気的な前記インピーダンスは、少なくとも１つの送信コイル（１１）に流れる交流電流により影響を受け、
平面コイルは、センサ素子として使用され、平面コイルは、前記送信コイル１１に変圧的に結合され、強磁性の前記少なくとも１つの薄片６は、鉄心として機能する。
【００６７】
すべての例では、変位測定（変位または位置の測定）と角度測定（回転エンコーダを使用の際）の両方のシステムで使用可能である。また、すべての例では、スケールのコーディングに応じて、（角度）位置のインクリメンタル（相対）測定、および絶対（角度）位置の測定が可能である。
【符号の説明】
【００６８】
１  …  スケール
２  …  走査ヘッド
３  …  センサユニット
４  …  評価電子回路
６  …  薄片
１０  …  受信コイル
１１  …  送信コイル
４１  …  信号源
４２、４３  …  差動増幅器
４４  …  復調器
４５  …  アナログ／デジタル変換器
Ｂ  …  磁場
i  …  交流電流
Ｓ＋、Ｓ−、Ｃ＋、Ｃ−  …  センサ素子
ＵＳ、ＵＣ  …  センサ信号
ＵＳ＋、ＵＳ−、ＵＣ＋、ＵＣ−  …  測定情報
ｘ  …  測定方向
【図１】
2020537152.tif 000009
【図２】
2020537152.tif 000010
【図３】
2020537152.tif 000011
【図４】
2020537152.tif 000012
【図５】
2020537152.tif 000013
【図６】
2020537152.tif 000014
【図７】
2020537152.tif 000015
【図８】
2020537152.tif 000016
【国際調査報告】
2020537152.tif 000017
2020537152.tif 000018
2020537152.tif 000019
2020537152.tif 000020